(57)【要約】【課題】本発明は転写時に転写面と転写されるものとの間に気泡が生じるのを効率よく阻止することができるともに、鏡面に転写すると立体感のある転写が得られる転写シートを得るにある。【解決手段】転写面に接着剤や粘着剤層が形成された転写シートにおいて、接着剤や粘着剤層の表面全体に小さな凹凸を形成した転写シートを構成している。【選択図】  図２
2004330723.tif 000002
【特許請求の範囲】
【請求項１】
転写面に接着剤や粘着剤層が形成された転写シートにおいて、接着剤や粘着剤層の表面全体に、小さな凹凸を形成したことを特徴とする転写シート。
【請求項２】
転写面に接着剤や粘着剤層が形成された転写シート本体と、この転写シート本体の接着剤や粘着剤層を覆う剥離紙とからなる転写シートにおいて、前記剥離紙の前記転写シート本体の接着剤や粘着剤層と接触する全体面に小さな凹凸を形成したものを用いて、接着剤や粘着剤層の表面全体に小さな凹凸を形成したことを特徴とする転写シート。
【請求項３】
小さな凹凸は微小間隔で並列する溝を縦方向および横方向に形成した格子状に形成されたものであることを特徴とする請求項１、２いずれかに記載の転写シート。
【請求項４】
小さな凹凸は微小間隔で並列する溝を、縦方向あるいは横方向に形成されたものであることを特徴とする請求項１、２いずれかに記載の転写シート。
【発明の詳細な説明】
【０００１】
【発明の属する技術分野】
本発明は転写シートに関する。
【０００２】
【従来の技術】
従来の転写シートは、転写面に接着剤や粘着剤層を形成し、剥離紙で覆っている。
【０００３】
従来の転写シートを用いて転写する場合、剥離紙を除去して転写面の接着剤や粘着剤層を転写されるものに押し付け、接着剤や粘着剤が転写されるものに接着や粘着固定させた後、転写シートの転写シート本体を除去して行なうが、特に大きな転写シートの転写時には、転写面の接着剤や粘着剤層を転写されるものに押し付けた場合に、中央部寄りの部位に気泡が生じやすく、該気泡の除去が大変で、きれいに転写できないという欠点があった。
【０００４】
本発明は以上のような従来の欠点に鑑み、転写時に転写面と転写されるものとの間に気泡が生じるのを効率よく阻止することができるともに、鏡面に転写すると立体感のある転写が得られる転写シートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は転写面に接着剤や粘着剤層が形成された転写シートにおいて、接着剤や粘着剤層の表面全体に小さな凹凸を形成した転写シートを構成している。
【０００７】
【発明の実施の形態】
以下、図面に示す実施の形態により、本発明を詳細に説明する。
【０００８】
図１ないし図５に示す本発明の第１の実施の形態において、１は本発明の転写シートで、この転写シート１は透明あるいは半透明な転写シート本体２と、この転写シート本体２の転写面に転写できるようにコピーあるいはプリントにより形成された文字や絵等の転写用の模様３と、この転写用の模様３の上面を覆うように塗布された接着剤や粘着剤層４と、この接着剤や粘着剤層４の表面全体に小さな凹凸５を形成できるように貼着された貼着面６ａに小さな凹凸５を有する剥離紙６とで構成されている。
【０００９】
前記剥離紙６の貼着面６ａには微小間隔、例えば０．５ｍｍ間隔で並列する突起７を、縦方向および横方向に形成した格子状の凹凸５が形成されている。
【００１０】
上記構成の転写シート１は剥離紙６で接着剤や粘着剤層４を覆って全体を押し圧しておくことにより、転写時に剥離紙６を除去すると、接着剤や粘着剤層４の表面に小さな凹凸５が形成された状態となっているため、転写されるもの８に接着剤や粘着剤層４を貼着して押し圧固定する場合、従来のように中央寄りの部位に気泡が発生することなく、楽な作業できれいに全面を転写されるもの８に貼着でき、転写シート本体２を除去することにより、転写シート本体２の転写用の模様３が接着剤や粘着剤によって転写されるもの８に確実に転写される。
【００１１】
なお、本発明の実施の形態では転写シート本体２に形成される転写用の模様３は、接着剤や粘着剤によって転写されるもの８に転写されるので、転写シート本体２自体あるいは転写シート本体２の転写面には剥離シートを用いたり、薄い剥離シートを貼り合わせたものあるいは剥離剤を塗布したり、付着させたもの等が使用されている。
【００１２】
前記転写シート１を鏡面である転写されるもの８に転写することにより、転写用の模様３の接着剤や粘着剤層４の表面に形成された小さな凹凸５形状により、３Ｄと同様に転写用の模様３に立体感を生じさせることができる。
【００１３】
【発明の異なる実施の形態】
次に、図６ないし図１２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図６ないし図８に示す本発明の第２の実施の形態において、前記本発明の第１の実施の形態と主に異なる点は、接着剤や粘着剤層４の表面全体に小さな凹凸５を形成した後、貼着面が平坦な剥離紙６Ａで覆った点で、このように形成した転写シート１Ａにしても、前記本発明の第１の実施の形態と同様な作用効果が得られる。
【００１５】
図９および図１０に示す本発明の第３の実施の形態において、前記本発明の第１の実施の形態と主に異なる点は、微小間隔で並列する突起７を縦方向に形成した小さな凹凸５Ａを形成した剥離紙６Ｂを用いて接着剤や粘着剤層４の表面に凹凸５Ａを形成した点で、このような剥離紙６Ｂを用いて構成した転写シート１Ｂにしても、前記本発明の第１の実施の形態と同様な作用効果が得られる。
【００１６】
図１１および図１２に示す本発明の第４の実施の形態において、前記本発明の第１の実施の形態と主に異なる点は、微小間隔で並列する突起７を横方向に形成した小さな凹凸５Ｂを形成した剥離紙６Ｃを用いて接着剤や粘着剤層４の表面に凹凸５Ｂを形成した点で、このような剥離紙６Ｃを用いて構成した転写シート１Ｃにしても、前記本発明の第１の実施の形態と同様な作用効果が得られる。
【００１７】
【発明の効果】
以上の説明から明らかなように、本発明にあっては次に列挙する効果が得られる。
【００１８】
（１）転写面に接着剤や粘着剤層が形成された転写シートにおいて、接着剤や粘着剤層の表面全体に、小さな凹凸を形成したので、転写されるものに接着剤や粘着剤層を押し付ける場合に、該接着剤や粘着剤層の表面全体の凹凸形状により、従来のように転写シートの中央部寄りの部位に気泡が生じたりすることなく、貼着固定させることができる。
したがって、転写シートの転写面の全体を転写されるものに、熟練者でなくても確実に接触させて、きれいに転写させることができる。
【００１９】
（２）前記（１）によって、接着剤や粘着剤層の表面全体に小さな凹凸を形成するだけでよいので、容易に製造することができる。
【００２０】
（３）前記（１）によって、接着剤や粘着剤層の表面全体に形成する小さな凹凸は剥離紙の接着剤や粘着剤層と貼着される面に形成されたものを用いて形成することもできる。
したがって、このような剥離紙を用いることにより、より簡単に小さな凹凸を形成することができる。
【００２１】
（４）請求項２、３、４も前記（１）〜（３）と同様な作用効果が得られる。
【図面の簡単な説明】
【図１】本発明の第１の実施の形態の斜視図。
【図２】図１の２−２線に沿う断面図。
【図３】本発明の第１の実施の形態の剥離紙を除去した転写面を示す説明図。
【図４】本発明の第１の実施の形態の剥離紙の説明図。
【図５】本発明の第１の実施の形態の転写状態の説明図。
【図６】本発明の第２の実施の形態の斜視図。
【図７】図６の７−７線に沿う断面図。
【図８】本発明の第２の実施の形態の分解斜視図。
【図９】本発明の第３の実施の形態の斜視図。
【図１０】本発明の第３の実施の形態の分解斜視図。
【図１１】本発明の第４の実施の形態の斜視図。
【図１２】本発明の第４の実施の形態の分解斜視図。
【符号の説明】
１、１Ａ、１Ｂ、１Ｃ：転写シート、
２：転写シート本体、    ３：転写用の模様、
４：接着剤や粘着剤層、  ５、５Ａ、５Ｂ：凹凸、
６ａ：貼着面、
６、６Ａ、６Ｂ、６Ｃ：剥離紙、
７：突起、              ８：転写されるもの。
【図１】
2004330723.tif 000003
【図２】
2004330723.tif 000004
【図３】
2004330723.tif 000005
【図４】
2004330723.tif 000006
【図５】
2004330723.tif 000007
【図６】
2004330723.tif 000008
【図７】
2004330723.tif 000009
【図８】
2004330723.tif 000010
【図９】
2004330723.tif 000011
【図１０】
2004330723.tif 000012
【図１１】
2004330723.tif 000013
【図１２】
2004330723.tif 000014